(57)【要約】方法および装置は、表示面の変化の検出に対応して、レーザプロジェクションディスプレイ（ＬＰＤ）の電力をコントロールして縮小するために提供される。ＬＰＤの動作中、コントローラー１４２は、表示面から反射されたレーザ光をモニタする。コントローラー１４２は、ＬＰＤが提供するように命令されるの電力の量を「知っている」ゆえに、異質の物体がレーザ光の経路中にあり得るかどうかを決定するために、既知の電力と反射されたレーザ光を比較し得、したがって、レーザ光の強さに影響を受ける。コントローラー１４２は、レーザの電力を縮小することによって、そのような出来事の検出に応答する。本発明の一局面において、乗物の情報を表示するための装置が提供される。その装置は、レーザプロジェクターと、および、そのレーザプロジェクタから可変画像を受信するために配置される表示面とを備える。
2007526498.tif 000002
【特許請求の範囲】
【請求項１】
乗物において情報を表示するための装置であって、
レーザプロジェクターと、
該レーザプロジェクターからの可変画像を受信するように配置される表示面と
を備える装置。
【発明の詳細な説明】
【技術分野】
【０００１】
（発明の背景）
本発明は一般に電子表示に関し、より詳細には、乗物内におけるレーザプロジェクションディスプレイに関する。
【背景技術】
【０００２】
乗物において、重要な情報は乗員に示され得る。一部の情報は、スピード、ＲＰＭ、温度、油圧等の乗物の動作状況に関連し、少なくとも乗物の運転手にとって、一般に、実質的に継続的な関心および重要性があるものである。他の情報は、警報、警告情報等のような、より一時的な出来事に関連し得、それらの重要性は高いが、継続的な関心があるものではない。最後に、他の情報は、ラジオまたはＤＶＤプレイヤーのようなエンターテイメントと考えられ得、その重要性は他の要因に依存して、実質的に縮小され得る。
【０００３】
代表的に、これらのさまざまなタイプの情報は、その用途のために特別に設計された個別の異なったデバイスを使用して、乗物の乗客に示される。代表的には、乗物の速度計および室温調節は２つの別個のディスプレイを有し、ドライバーの重要性に従って配置される。さらに、これらのデバイスは、乗物内の比較的に半永久的な位置に割り当てられる。例えば、通常の動作状態の下で、乗物の運転手は乗物の速度に最も関心を持ち得る。したがって、速度計は、運転手の直接的な視野の重要な位置に配置される。しかし、ある時は、他のより関心のある情報、または、やむをえない情報へのアクセスが、ドライバーにとって役に立ち得る。例えば、警告情報は通常の動作情報より優先され得るが、それにもかかわらず、警告情報は、さほど重要でない位置に指定され得る。さらに、ラジオおよびＣＤプレイヤーのようなエンターテイメントタイプの装置は、ドライバーにとって最も重要でない位置に指定される。したがって、ドライバーがラジオを動作させる時、彼／彼女の注意は乗物の運転の基本的な作業からそれ得る。
【０００４】
本発明は、上記された１つ以上の問題の影響を克服または少なくとも縮小することに向けられている。
【発明の開示】
【課題を解決するための手段】
【０００５】
本発明の一局面において、乗物の情報を表示するための装置が提供される。装置は、レーザプロジェクターと、および、そのレーザプロジェクタから可変画像を受信するために配置される表示面とを備える。
【０００６】
本発明は、添付図面とともに以下の説明を参照することによって理解され得、同一参照番号は同一構成要素であるとみなされる。
【０００７】
本発明は、様々な修正および代替の形式が可能であると同時に、それらの特定の実施形態は、例として図面で示され、本明細書中に詳細に記載されている。しかし、特定の実施形態の説明は、開示された特定の形式に限定されないと理解され、それどころか、その意図は、添付の特許請求の範囲によって規定されるような本発明の精神および範囲内の全ての修正、均等物、代替を網羅することにある。
【発明を実施するための最良の形態】
【０００８】
（特定の実施形態の詳細な説明）
以下、本発明の実施形態について説明する。明確にするならば、実際の実施形態の全てをこの明細書に記述しているわけではない。もちろん、このような実際の実施形態の開発においては、実装に特有な多くの決定を行って、システム関連の制約や業務関連の制約に従うなど、実装によって変化する開発者の特有の目的を達成しなければならないことを理解されよう。そのような開発努力は、複雑かつ時間がかかるであろうが、それにも係わらずこの開示の利益を受ける当業者が取り組むルーチンであるということが理解されよう。
【０００９】
以下の同時係属出願は、その全体が援用される。Ｍｅｔｈｏｄ  ａｎｄ  Ａｐｐａｒａｔｕｓ  ｆｏｒ  Ａｌｉｇｎｉｎｇ  ａ  Ｐｌｕｒａｒｉｔｙ  ｏｆ  Ｌａｓｅｒｓ  ｉｎ  ａｎ  Ｅｌｅｃｔｒｏｎｉｃ  Ｄｉｓｐｌａｙ  Ｄｅｖｉｃｅ，Ｍｉｋ  Ｓｔｅｒｎ他；Ｍｅｔｈｏｄ  ａｎｄ  Ａｐｐａｒａｔｕｓ  ｆｏｒ  Ｃｏｎｔｒｏｌｌａｂｌｙ  Ｒｅｄｕｃｉｎｇ  Ｐｏｗｅｒ  Ｄｅｌｉｖｅｒｅｄ  ｂｙ  ａ  Ｌａｓｅｒ  Ｐｒｏｊｅｃｔｉｏｎ  Ｄｉｓｐｌａｙ，Ｍｉｋ  Ｓｔｅｒｎ他；Ｍｅｔｈｏｄ  ａｎｄ  Ａｐｐａｒａｔｕｓ  ｆｏｒ  Ｐｒｏｖｉｄｉｎｇ  ａｎ  Ｉｎｔｅｒｆａｃｅ  Ｂｅｔｗｅｅｎ  ａ  Ｌｉｑｕｉｄ  Ｃｒｙｓｔａｌ  Ｄｉｓｐｌａｙ  Ｃｏｎｔｒｏｌｌｅｒ  ａｎｄ  ａ  Ｌａｓｅｒ  Ｐｒｏｊｅｃｔｉｏｎ  Ｄｉｓｐｌａｙ，Ｎａｒａｙａｎ  Ｎａｍｂｕｄｉｒｉ他；Ａ  Ｃｏｌｏｒ  Ｌａｓｅｒ  Ｐｒｏｊｅｃｔｉｏｎ  Ｄｉｓｐｌａｙ，Ｐａｕｌ  Ｄｖｏｒｋｉｓ他；Ｍｅｔｈｏｄ  ａｎｄ  Ａｐｐａｒａｔｕｓ  ｆｏｒ  Ｃａｐｔｕｒｉｎｇ  Ｉｍａｇｅｓ  Ｕｓｉｎｇ  Ａ  Ｃｏｌｏｒ  Ｌａｓｅｒ  Ｐｒｏｊｅｃｔｉｏｎ  Ｄｉｓｐｌａｙ，Ｃｈｉｎｈ  Ｔａｎ；Ｍｅｔｈｏｄ  ａｎｄ  Ａｐｐａｒａｔｕｓ  ｆｏｒ  Ｃｏｎｓｅｒｖｉｎｇ  Ｐｏｗｅｒ  ｉｎ  ａ  Ｌａｓｅｒ  Ｐｒｏｊｅｃｔｉｏｎ  Ｄｉｓｐｌａｙ，Ｆｒｅｄ  Ｗｏｏｄ他；Ａ  Ｌａｓｅｒ  Ｐｒｏｊｅｃｔｉｏｎ  Ｄｉｓｐｌａｙ，Ｒｏｎ  Ｇｏｌｄｍａｎ他；Ｍｅｔｈｏｄ  ａｎｄ  Ａｐｐａｒａｔｕｓ  ｆｏｒ  Ｃｏｎｔｒｏｌｌａｂｌｙ  Ｃｏｍｐｅｎｓａｔｉｎｇ  ｆｏｒ  Ｄｉｓｔｏｒｔｉｏｎｓ  ｉｎ  ａ  Ｌａｓｅｒ  Ｐｒｏｊｅｃｔｉｏｎ  Ｄｉｓｐｌａｙ，Ｃａｒｌ  Ｗｉｔｔｅｎｂｅｒｇ他；Ｍｅｔｈｏｄ  ａｎｄ  Ａｐｐａｒａｔｕｓ  ｆｏｒ  Ｃｏｎｔｒｏｌｌａｂｌｙ  Ｍｏｄｕｌａｔｉｎｇ  ａ  Ｌａｓｅｒ  ｉｎ  ａ  Ｌａｓｅｒ  Ｐｒｏｊｅｃｔｉｏｎ  Ｄｉｓｐｌａｙ，Ｄｍｉｔｒｉｙ  Ｙａｖｉｄ他。
【００１０】
図を参照して、特に図１について説明する。図１は本発明の一実施形態によるレーザープロジェクションディスプレイ（ＬＰＤ）１００の様式的なブロック図である。図示の実施形態において、ＬＰＤ１００は、３つのレーザー１０２、１０４、および１０６を備え、それぞれ赤、緑、または青などの固有の色からなる光線１０８、１１０、および１１２を放出することが可能である。当業者には、レーザーの数およびそれらが放出する色を、本発明の趣旨および範囲から逸脱することなく変化させられることが理解されよう。
【００１１】
レーザー１０２、１０４、および１０６は、共通の面１１４内に配置され、光線ビーム１０８、１１０、および１１２は互いに角度を有し、第１の走査鏡１１８などの第１の走査装置上に実質的に共通の位置１１６に向けられ、走査装置で光線ビーム１２０、１２２、および１２４として反射する。図示の実施形態において、第１の走査鏡１１８は、比較的高い速度（例、約２０乃至３０ｋＨｚ）で軸１２０上を振動する。第１の走査鏡１１８の回転または振動によって、光線ビーム１０８、１１０、および１１２が移動する。第１の走査鏡１１８の角度位置が変化すると、走査鏡１１８からの光線ビーム１２０、１２２、および１２４の反射角も変化する。したがって、鏡が振動すると、反射された光線ビーム１２０、１２２、および１２４が走査され、二次元ディスプレイの１つの構成要素に沿って光線ビーム１２０、１２２、１２４が移動する。
【００１２】
二次元ディスプレイの第２の構成要素は、鏡１２６などの第２の走査装置によって形成される。図示の実施形態において、第２の鏡１２６は、第１の鏡１１８の回転軸に実質的に垂直な軸の周囲における回転または振動運動を生じさせるように、旋回軸点１３０でモーター１２８に接続される。光線ビーム１２０、１２２、および１２４は、光線ビーム１３２、１３４、および１３６として第２の鏡１２６に反射し、表示面（ｖｉｅｗｉｎｇ  ｓｕｒｆａｃｅ）１３８に導かれる。表示面１３８は、本発明の趣旨および範囲から逸脱することなく、様々な方式のうちのいずれかを用いてよい。例えば、表示面１３８は、レーザー１０２、１０４、および１０６を前部または背部に当てることが可能であり、ＬＰＤ１００と共通の１つのハウジング（図示せず）に含めることが可能である固定スクリーンであってもよいし、代わりに、表示面１３８は、ＬＰＤ１００から離れた壁またはスクリーンなどの都合のよい概して平面の形態としてもよい。
【００１３】
第２の鏡１２６は、第１の鏡１１８よりも比較的低速（例、６０Ｈｚ）で振動または回転する。したがって、図２に示すように、光線ビーム１３２、１３４、および１３６は、概して表示面１３８上の経路１４０をたどる、と理解されよう。当業者には、この経路１４０が、陰極線管テレビおよびコンピュータ用モニターに一般的に用いられるラスタスキャンの形状および概念に類似していると理解されよう。
【００１４】
本願明細書に開示した本発明は、その実施形態のコンテキストにおいて、別々の第１の走査鏡１１８および第２の走査鏡１２６を用いているが、当業者には、単一の鏡を使用して同様の経路１４０が形成されると理解されよう。単一の鏡は、２つの軸の周囲を移動して２つの直交軸に沿った高速および低速の振動運動を提供することが可能である。
【００１５】
図１から明らかなように、レーザー１０２、１０４、および１０６の角度位置決定によって、レーザー１０２、１０４、および１０６を機械的および光学的に配置して、光線ビーム１０８、１１０、および１１２を同一面１１４内および（鏡１１８上の）回転軸１２０上の）同一点に供給するが、各レーザーは異なる反射角を有し、光線ビーム１２０、１２２、および１２４を分岐させる。コントローラー１４２は、レーザーを第２の鏡１２６に反射させて、第２の鏡１２６と表示面１３８との間の距離に比較的依存せずに、表示面１３８の同一点に供給することが可能なように、レーザー１０２、１０４、および１０６に制御可能に電圧を加えて光線ビーム１２０、１２２、および１２４を効果的に共線化する。
【００１６】
図３Ａおよび３Ｂを参照して、光線ビーム１２０、１２２、および１２４を共線化するためのコントローラー１４２の動作について述べる。説明を簡素化するために、図３には２つのレーザー１０２および１０４だけを示す。しかし、当業者には、本願明細書において述べられる概念を、本発明の趣旨および範囲から逸脱することなく、３つ以上のレーザーにまで拡大してもよいことが理解されよう。図３Ａに示すように、レーザー１０２および１０４に同時に電圧を加えると、反射した光線ビーム１２０および１２２が分岐する。しかし、図３Ｂに示すように、レーザー１０２および１０４にわずかに時間をずらして電圧を加えると、光線ビーム１２０および１２２を単一の共通の経路に進ませることができる（すなわち、光線ビーム１２０および１２２は共線である）。例えば、レーザー１０２に第１の時間ｔ１で電圧を加えると、鏡１１８は、実線で表される第１の位置にあり、光線ビーム１０８は、鏡１１８に反射して光線ビーム１２０となる。続いて、レーザー１０４に第２の時間ｔ２で電圧を加えると、鏡１１８は、破線で示される第２の位置にあり、光線ビーム１１０は、鏡１１８に反射して光線ビーム１２２となる。時間ｔ２を正確に制御することによって、鏡１１８は、光線ビーム１２２を光線ビーム１２０と実質的に同じ経路に沿って正確に反射する。
【００１７】
したがって、コントローラー１４２の動作を介して、光線ビーム１２０および１２２は、実質的に共線であるが、時間的にわずかにずれている。すなわち、光線ビーム１２０および１２２は、どちらも表示面１３８上の実質的に同じ点に投影されることになるが、わずかに時間差がある。しかし、人間の眼には残像性があるため、そのタイミングの変化は検出できない。すなわち、図１に示される３レーザーシステムにおいて、レーザー１０２、１０４、および１０６のそれぞれは、固有の色および強度のレーザー光を比較的短い時間の間に表示面１３２上の実質的に同じ点に制御可能に供給する。人間の眼は、３つの色を別々に検出せずに、むしろ、一致した所望の色調が表示面上の点に現れるように３つ光線を混合して知覚する。当業者には、画像を表示面１３２上に再現させるために、経路１４０に沿って、このプロセスを多数回繰り返しているということが理解されよう。
【００１８】
図１に戻り、光検出器１４４は、表示面１３８に反射したレーザー光を受けるように構成される。光検出器１４４は、単一の感光素子またはグリッド内に配列される複数の感光素子を含む、様々な形態のうちのいずれかを用いてよい。いくつかの実施形態において、反射されたレーザー光を光検出器１４４上に集中させるために、機械的／光学系１４６を備えることが有用な場合がある。
【００１９】
光検出器１４４は、回線１４８を経てコントローラー１４２に接続される。光検出器１４４が検出した反射されたレーザー光の強さを示す信号を、回線１４８を通じてコントローラー１４２に通信することが可能である。場合によっては、例えば光検出器１４４が、光センサの、または感光素子の、グリッドまたはアレイを構成している場合、反射されたレーザー光の位置に関する情報を伝達するためにも有用な場合がある。図４と併せて詳述すると、コントローラー１４２は、反射したレーザ光の強さに関する情報を使用し得、それによって、レーザの伝送経路内の状態が、人または物体によって遮られるような変化があるかどうかを概して決定する。コントローラー１４２は、表示面が触られたかどうかを決定するために、そのような出来事に関係する情報を使用し得る。すなわち、表示面は「接触に敏感（ｔｏｕｃｈ  ｓｅｎｓｉｔｉｖｅ）」にされ得、したがって、オペレーターからのフィードバックの形式を提供し得る。
【００２０】
コントローラー１４２は、表示面上において、プッシュボタンまたは他のアクセス可能なアイコンを表示し得る。コントローラー１４２は、プッシュボタンを表示する表示面の一部が触られたことを検出する場合、応答動作をとり得る。例えば、コントローラー１４２は、「ヘッドライト」とラベルされたアイコンを表示し得る。コントローラー１４２は、ユーザーがその「ヘッドライト」アイコンに触れたと検出する場合、ヘッドライトを点け得る。同様に、多くの他の機能が、表示面上において表示される、適切に構成されたアイコン、または適切にラベルされたアイコンによって実施され得る。
【００２１】
表示面１３８は任意のさまざまな形式をとり得、フロントライト法またはバックライト法のいずれかであり得る。本発明の局面を利用する乗物のダッシュボードの一実施形態を図４に示す。例示した実施形態において、ＬＰＤ４００はフロントガラス４０２および／または計器パネル４０４上に１つ以上の画像を表示するように配置される。ＬＰＤ４００は、鏡４０５を介して、フロントガラス４０２の内側面に向けて上向きに、少なくとも部分的に反射された画像を投影する。多くの実施形態において、フロントガラス４０２の内側面は、乗物のドライバーによって見られる画像の鮮明度を高めるように処理される領域４０６を有し得る。例えば、領域４０６は、ＬＰＤ４００によって伝送されるレーザ光の少なくとも一部分が、フロントガラス４０２を反射して、ドライバーが見ることができるように、反射材料を適用された領域を有し得る。この様式において、ＬＰＤ４００は、乗物のドライバーに情報を表示するための「ヘッドアップ」ディスプレイを生成すために使用され得る。
【００２２】
ＬＰＤ４００によって投影されたディスプレイの少なくとも一部分は、鏡４０５を介して、またはその周囲を通過して、計器パネル４０４の裏面に達し得る。例示した実施形態において、計器パネルは、ＬＰＤ４００によってバックライトされ得る材料から構成または形成され得、乗物のドライバーによって見られる。すなわち、計器パネル４０４の裏面に当たるレーザ光の少なくとも一部分は、それを通り抜けて計器パネル４０４の前面に見える。
【００２３】
当業者は、さまざまなアイコンまたは画像が、乗物のドライバーに情報を伝え、そしてドライバーが乗物の作動またはそこに含まれるサブシステムを制御することを可能にするインターフェースを提供するために、または、計器パネル４０４もしくはフロントガラス４０２上に表示される情報および／またはアイコンの外観と位置を修正するために、フロントガラス４０２および／または計器パネル４０４上に表示され得ることを理解する。ドライバーは、前もって選択された配置のシリーズのうちの１つを選択すること、または、計器の外観をカスタマイズすること等により、個人の好みにしたがって、各人のダッシュボード上に表示される計器を配置し得る。例えば、計器の位置は、「ドラッグアンドドロップ」オペレーションによって修正され得る。ドライバーは、計器が表示される計器パネルを触り、そして新しい、より望まれる位置へ指をドラッグすることによって、その計器を選択し得る。
【００２４】
さらに、コントローラー１４２は、特定の計器／情報の位置および鮮明さに関係する、前もって選ばれた、またはカスタマイズ可能な優先案と共にプログラムされ得る。すなわち、通常の動作状態のもとで、計器パネル４０４またはフロントガラス４０２の目立った位置に乗物のスピードを表示する事が、効果的であり得る。しかし、特定の状態が検出される場合は、コントローラー１４２は少なくとも一時的に、新しい重要な情報を注目させるためにディスプレイを再編成し得る。例えば、外部温度が氷点に下がったと検出された場合、ドライバーの注意をさらに得るために、計器パネル４０４またはフロントガラス４０２上にこの情報を目立って表示することが有益であり得る。乗物の状態に関係する警告情報は、同様に扱われ得る。例えば、オーバーヒートしているエンジンに関係する情報は、大きく明るいアイコン、または、それどころか、点滅するアイコンと共に表示され得る。
【００２５】
図５を参照して、ＬＰＤ４００のレイアウトの代替的な実施形態が示されている。この実施形態において、ＬＰＤ４００は、計器パネル４０４およびフロントガラス４０２の両方がフロントライトされるように配置されている。ＬＰＤ４００はまた、乗物の後座席の乗員によって見ることのできるエンターテイメントシステム５００のための画像を表示するために使用され得る。鏡５０２は、ＬＰＤ４００によって投影されるレーザ光の少なくとも一部を受け取り、その光をバックライト型スクリーン５０４の裏面に向かって反射するように配置され得る。したがって、ＬＰＤ４００は、映画、テレビ番組、ゲーム、テレビ電話画像等を表示するために使用され得る。
【００２６】
図６は、代替的なエンターテイメントシステム６００を示している。そのシステムにおいて、ＬＰＤ４００は、第１および第２のフロントライト型スクリーン６０１、６０２上にディスプレイを投影するように配置される。スクリーン６０１および６０２は、運転席および助手席の背面に配置され得る。この方法において、ＬＰＤ４００は、映画、テレビ番組、ゲーム、テレビ電話画像等をスクリーン６０１、６０２上に表示し得る。さらに、同一または異なる画像が２つのスクリーン６０１、６０２上に表示され得る。ＬＰＤ４００の第１の走査鏡１１８（図１に示す）は、レーザ光がスクリーン６０１、６０２の両方を水平方向（および垂直方向）に横切るように構成され得る。コントローラー１４２は、鏡１１８がスクリーン６０１と６０２との間の領域に向いている間、レーザを止めるようにプログラムされ得、その結果、それらの２つのスクリーン６０１、６０２に２つの別々の画像を作り出す。２つの画像は、両方の画像が全く同じになるように共通の光源を使用し得るか、または２つの関連のない画像を作り出すために別個の光源を使用し得る。例えば、スクリーン６０１は映画を表示するために使用され得る一方、スクリーン６０２はビデオゲームを表示するために使用され得る。
【００２７】
本明細書において特に他の定義を明示している、または説明の文脈から明らかである場合を除いて、「処理」、「演算」、「計算」、「決定」、または「表示」などの言葉は、コンピュータシステムまたは同様な電子計算装置の動作および処理のことである。コンピュータシステムは、そのコンピュータのレジスタおよびメモリ内に物理的、電子的な量として表されるデータを、そのコンピュータのメモリまたはレジスタあるいは情報を保存、伝送、または表示する他の装置内の物理的な量として動揺に表されるデータに操作および変換する。
【００２８】
当業者には、本願明細書の種々の実施形態に示される様々なシステム層、ルーチン、またはモジュールが、実行可能な制御ユニットであってよいということを理解されたい。制御ユニットには、マイクロプロセッサ、マイクロコントローラー、デジタル信号処理装置、プロセッサカード（１つ以上のマイクロプロセッサまたはコントローラーを備える）、または他の制御装置またはコンピュータを備えることが可能である。本説明で引用した記憶装置には、データおよび命令を保存するための１つ以上の機械可読の記憶媒体を備えることが可能である。この記憶媒体は、ダイナミックまたはスタティックランダムアクセスメモリ（ＤＲＡＭまたはＳＲＡＭ）、消去可能で再書き込み可能な読み取り専用メモリ（ＥＰＲＯＭ）、電気的に消去可能で再書き込み可能な読み取り専用メモリ（ＥＥＰＲＯＭ）、およびフラッシュメモリ等の半導体メモリ；固定、フロッピー（登録商標）、リムーバブルディスク等の磁気ディスク；テープを含むその他の磁気媒体；およびコンパクトディスク（ＣＤ）またはデジタルビデオディスク（ＤＶＤ）等の光学媒体を含む、異なる形態のメモリを含むことができる。様々なシステム内において様々なソフトウェアレイヤ、ルーチン、モジュールを決定する命令は、各記憶装置内に格納されることができる。制御ユニットによるいつ実行されるかという命令は、関連するシステムにプログラムされた動作を実施させる。
【００２９】
本発明は、変更されたり、異なるが本明細書における教示の利益を有する当業者にとっては同等と思われる様式で実行されたりすることがあり、上記で開示した特定の実施形態は一例にすぎない。さらに、以下の特許請求の範囲において説明される以外、本明細書に示す構造または設計に限定することを意図するものではない。したがって、説明したシステムを実装し使用するために必要な処理回路は、本開示の利益を得る当業者には理解されるように、アプリケーション固有の集積回路、ソフトウェア駆動の処理回路、ファームウェア、プログラム可能論理デバイス、ハードウェア、不連続の構成要素または上記構成要素の配置において実装されることができる。したがって、以上に開示した特定の実施形態は修正または変更されることがあり、そのような変化はすべて本発明の範囲と精神の範囲内であると見なされることは明白である。よって、以下の特許請求の範囲において本明細書が求める保護を記載する。
【図面の簡単な説明】
【００３０】
【図１】本発明の一実施形態を上から見た、スタイル化されたブロック図である。
【図２】図１に示された表示面のスタイル化された図である。
【図３】図３Ａおよび３Ｂは、動作中の様々な時間における走査デバイスを上から見た図を示す。
【図４】本発明の局面を利用する乗物のダッシュボードの一実施形態を示す。
【図５】本発明の局面を利用する乗物のダッシュボードの代替的な実施形態を示す。
【図６】本発明の局面を利用する乗物において配置される後座席エンターテイメントシステムの一実施形態を示す。
【図１】
2007526498.tif 000003
【図２】
2007526498.tif 000004
【図３Ａ】
2007526498.tif 000005
【図３Ｂ】
2007526498.tif 000006
【図４】
2007526498.tif 000007
【図５】
2007526498.tif 000008
【図６】
2007526498.tif 000009
【国際調査報告】
2007526498.tif 000010
2007526498.tif 000011